【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
表示部及びコンピュータを有する携帯端末によって実行される経路表示プログラムであって、
前記コンピュータを、
出発地から目的地までの経路における案内の情報を示す案内画像と、前記案内に対応する経路画像とを前記表示部に表示させる表示手段として機能させ、
前記表示手段は、前記案内画像への左または右方向のフリック操作によって、前記案内の情報を示す案内画像と、前記案内に対応する経路画像とを、前記案内とは異なる案内の情報を示す案内画像と、当該案内画像に対応し、前記経路画像とは異なる経路画像とに切替えることを特徴とする経路表示プログラム。
【請求項２】
前記コンピュータを、
経路探索の条件を入力する入力手段、
としてさらに機能させ、
前記出発地及び前記目的地は、前記経路探索の条件に基づくことを特徴とする請求項１に記載の経路表示プログラム。
【請求項３】
前記表示手段は、前記案内画像への左または右方向のフリック操作によって、前記案内の情報を示す案内画像と、前記案内に対応する経路画像とを、前記案内の次又は前の案内の情報を示す案内画像と、当該案内画像に対応し、前記経路画像とは異なる経路画像とに切替えることを特徴とする請求項１又は２に記載の経路表示プログラム。
【請求項４】
前記コンピュータを、
前記出発地から前記目的地までの経路を示す経路情報を取得する経路情報取得手段、
としてさらに機能させ、
前記経路情報は、前記案内の情報を含むことを特徴とする請求項１乃至３のいずれか一項に記載の経路表示プログラム。
【請求項５】
前記案内画像には、案内地点の名称が含まれることを特徴とする請求項１乃至４のいずれか一項に記載の経路表示プログラム。
【請求項６】
前記案内画像には、進行方向を示す情報が含まれることを特徴とする請求項１乃至５のいずれか一項に記載の経路表示プログラム。
【請求項７】
前記表示手段は、前記案内の情報を示す案内画像と、前記案内に対応する経路画像とを、前記案内とは異なる案内の情報を示す案内画像と、当該案内画像に対応し、前記経路画像とは異なる経路画像とに切替えるボタンを表示させることを特徴とする請求項１乃至６のいずれか一項に記載の経路表示プログラム。
【請求項８】
前記ボタンは、表示中の案内の次の案内を表示するボタンと、表示中の案内の前の案内を表示するボタンであることを特徴とする請求項７に記載の経路表示プログラム。
【請求項９】
前記表示手段は、表示を切替える案内が存在しない場合には、前記ボタンの表示態様を、表示を切替える案内が存在する場合とは異ならせることを特徴とする請求項７又は８に記載の経路表示プログラム。
【請求項１０】
前記表示手段は、前記経路における複数の案内地点の一覧を示す案内地点リストに表示を切り替えるリストボタンをさらに表示することを特徴とする請求項１乃至９のいずれか一項に記載の経路表示プログラム。
【請求項１１】
前記表示手段は、前記案内地点リストの表示において一の案内地点が選択されると、前記一の案内地点に対応する前記案内画像と、前記経路画像とを表示させることを特徴とする請求項１０に記載の経路表示プログラム。
【請求項１２】
出発地から目的地までの経路における案内地点の情報を示す案内画像と、前記案内に対応する経路画像とを表示部に表示する表示手段を備え、
前記表示手段は、前記案内画像への左または右方向のフリック操作によって、前記案内の情報を示す案内画像と、前記案内に対応する経路画像とを、前記案内とは異なる案内の情報を示す案内画像と、当該案内画像に対応し、前記経路画像とは異なる経路画像とに切替えることを特徴とする携帯端末。
【請求項１３】
経路探索の条件を入力する入力手段、
をさらに備え、
前記出発地及び前記目的地は、前記経路探索の条件に基づくことを特徴とする請求項１２に記載の携帯端末。
【請求項１４】
表示部を有する携帯端末によって実行される経路表示方法であって、
出発地から目的地までの経路における案内の情報を示す案内画像と、前記案内に対応する経路画像とを前記表示部に表示する表示工程を備え、
前記表示工程は、前記案内画像への左または右方向のフリック操作によって、前記案内の情報を示す案内画像と、前記案内に対応する経路画像とを、前記案内とは異なる案内の情報を示す案内画像と、当該案内画像に対応し、前記経路画像とは異なる経路画像とに切替えることを特徴とする経路表示方法。
【請求項１５】
経路探索の条件を入力する入力工程、
をさらに備え、
前記出発地及び前記目的地は、前記経路探索の条件に基づくことを特徴とする請求項１４に記載の経路表示方法。
【請求項１６】
表示部及びコンピュータを有する携帯端末によって実行される経路表示プログラムであって、
前記コンピュータに、
出発地から目的地までの経路における案内の情報を示す案内画像と、前記案内に対応する経路画像とを前記表示部に表示するステップと、
前記案内画像への左または右方向のフリック操作によって、前記案内の情報を示す案内画像と、前記案内に対応する経路画像とを、前記案内とは異なる案内の情報を示す案内画像と、当該案内画像に対応し、前記経路画像とは異なる経路画像とに切替えるステップと、
を実行させることを特徴とする経路表示プログラム。
【請求項１７】
請求項１６に記載の前記コンピュータに、
経路探索の条件を入力するステップをさらに実行させ、
前記出発地及び前記目的地は、前記経路探索の条件に基づくことを特徴とする経路表示プログラム。
【請求項１８】
表示部及びコンピュータを有する携帯端末によって実行される経路表示プログラムであって、
前記コンピュータを、
出発地から目的地までの経路における案内の情報を示す案内画像と、前記案内に対応する経路画像とを前記表示部に表示させる表示手段として機能させ、
前記表示手段は、前記案内の情報を示す案内画像と、前記案内に対応する経路画像とを、前記案内とは異なる案内の情報を示す案内画像と、当該案内画像に対応し、前記経路画像とは異なる経路画像とに切替えるボタンを表示させることを特徴とする経路表示プログラム。
【請求項１９】
請求項１８に記載の前記コンピュータを、
経路探索の条件を入力する入力手段、
としてさらに機能させ、
前記出発地及び前記目的地は、前記経路探索の条件に基づくことを特徴とする経路表示プログラム。
【手続補正２】
【補正対象書類名】明細書
【補正対象項目名】０００６
【補正方法】変更
【補正の内容】
【０００６】
請求項１に記載の発明は、表示部及びコンピュータを有する携帯端末によって実行される経路表示プログラムであって、前記コンピュータを、出発地から目的地までの経路における案内の情報を示す案内画像と、前記案内に対応する経路画像とを前記表示部に表示させる表示手段として機能させ、前記表示手段は、前記案内画像への左または右方向のフリック操作によって、前記案内の情報を示す案内画像と、前記案内に対応する経路画像とを、前記案内とは異なる案内の情報を示す案内画像と、当該案内画像に対応し、前記経路画像とは異なる経路画像とに切替えることを特徴とする。
【手続補正３】
【補正対象書類名】明細書
【補正対象項目名】０００７
【補正方法】変更
【補正の内容】
【０００７】
請求項１２に記載の発明は、携帯端末であって、出発地から目的地までの経路における案内地点の情報を示す案内画像と、前記案内に対応する経路画像とを表示部に表示する表示手段を備え、前記表示手段は、前記案内画像への左または右方向のフリック操作によって、前記案内の情報を示す案内画像と、前記案内に対応する経路画像とを、前記案内とは異なる案内の情報を示す案内画像と、当該案内画像に対応し、前記経路画像とは異なる経路画像とに切替えることを特徴とする。
【手続補正４】
【補正対象書類名】明細書
【補正対象項目名】０００８
【補正方法】変更
【補正の内容】
【０００８】
請求項１４に記載の発明は、表示部を有する携帯端末によって実行される経路表示方法であって、出発地から目的地までの経路における案内の情報を示す案内画像と、前記案内に対応する経路画像とを前記表示部に表示する表示工程を備え、前記表示工程は、前記案内画像への左または右方向のフリック操作によって、前記案内の情報を示す案内画像と、前記案内に対応する経路画像とを、前記案内とは異なる案内の情報を示す案内画像と、当該案内画像に対応し、前記経路画像とは異なる経路画像とに切替えることを特徴とする。
【手続補正５】
【補正対象書類名】明細書
【補正対象項目名】０００９
【補正方法】変更
【補正の内容】
【０００９】
請求項１６に記載の発明は、表示部及びコンピュータを有する携帯端末によって実行される経路表示プログラムであって、前記コンピュータに、出発地から目的地までの経路における案内の情報を示す案内画像と、前記案内に対応する経路画像とを前記表示部に表示するステップと、前記案内画像への左または右方向のフリック操作によって、前記案内の情報を示す案内画像と、前記案内に対応する経路画像とを、前記案内とは異なる案内の情報を示す案内画像と、当該案内画像に対応し、前記経路画像とは異なる経路画像とに切替えるステップと、を実行させることを特徴とする。
【手続補正６】
【補正対象書類名】明細書
【補正対象項目名】００１０
【補正方法】変更
【補正の内容】
【００１０】
請求項１８に記載の発明は、表示部及びコンピュータを有する携帯端末によって実行される経路表示プログラムであって、前記コンピュータを、出発地から目的地までの経路における案内の情報を示す案内画像と、前記案内に対応する経路画像とを前記表示部に表示させる表示手段として機能させ、前記表示手段は、前記案内の情報を示す案内画像と、前記案内に対応する経路画像とを、前記案内とは異なる案内の情報を示す案内画像と、当該案内画像に対応し、前記経路画像とは異なる経路画像とに切替えるボタンを表示させることを特徴とする。